(57)【要約】【課題】汎用のレジャーシートにも使用することができ、運搬時は軽量でありながら、使用時には防風効果を奏するだけの重りとして機能するレジャーシートの防風用ウエイトを提供すること。【解決手段】蓋部１と、ベース部３と、これら蓋部１及びベース部３を連結して上下方向に伸縮可能な胴部２とから構成し、レジャーシートＳへの固定手段としてレジャーシートＳの鳩目Ｓ１への掛止フック４等を前記ベース部３に設けて、伸張させた胴部２内に砂等を投入することにより重量のあるウエイトとして使用できるようにした。【選択図】　　　図１
2004049520.tif 000002
【特許請求の範囲】
【請求項１】
蓋部と、ベース部と、これら蓋部及びベース部を連結して上下方向に伸縮可能な胴部とからなり、さらにレジャーシートへの固定手段を備えてなるレジャーシートの防風用ウエイト。
【請求項２】
胴部を収縮させた際には、蓋部とベース部とが近接状態で固定され得るものである請求項１記載のレジャーシートの防風用ウエイト。
【請求項３】
レジャーシートへの固定手段が、レジャーシートに装着された鳩目に掛止されるフックである請求項１又は２いずれか記載のレジャーシートの防風用ウエイト。
【請求項４】
レジャーシートへの固定手段が、レジャーシートを挟持しうるクリップである請求項１又は２いずれか記載のレジャーシートの防風用ウエイト。
【請求項５】
複数個の防風用ウエイトを大きさの異なる１個の防風用ウエイト内に収納可能に構成してなる請求項１ないし請求項４いずれか記載の防風用ウエイト。
【発明の詳細な説明】
【０００１】
【発明の属する技術分野】
本発明は、野山や海辺等の地表面に敷いて敷物として用いられるレジャーシートが風により捲れあがることを防止するべく使用される防風用ウエイトに関する。
【０００２】
【従来の技術】
野山におけるピクニックや海辺での遊びなどに際しては、飲食や休息のために、いわゆるレジャーシートが用いられることが多い。レジャーシートは、薄い防水布からなるものが一般的であるが、断熱効果を目的とした厚手のものも見られる。しかし、厚さの相違はあってもシート状物であるために風に弱く、捲れあがったり吹き飛ばされ易いという欠点があった。
【０００３】
風によってシートが捲れあがったり、あるいは風によってシートが吹き飛ばされてしまうことを防止するべく、従来から様々な試みがなされている。例えば、実開平６−４１５３４号ではシート体の周縁に重りを設けたレジャーシートが開示され、特開平７−３２７７３３号や特開平１１−２７６３３５号ではシートの四隅や辺部にポケットを形成して小石等の重りを入れられるようにしたレジャーシートが開示されている。また、特開平９−３４９号ではシートを挟持する重りが、特開平８−２６６３３４号では断面Ｃ字状をした弾性材からなる止着体とセットで用いてシートを挟持するパイプ状の重りが開示されている。
【０００４】
【発明が解決しようとする課題】
確かに、前記レジャーシートや重りによっても防風効果は達成されるのであるが、ポケットを設けて適当な小石等を重りとして用いるレジャーシートの場合にはシート自体が専用形態を備えなければならないために汎用シートには適用できない欠点があったし、シートを挟持したりパイプ状からなる重りを用いる場合には重り自体に相当重量があるために運搬等に際して負担になるという欠点があった。
【０００５】
しかるに、本発明は、汎用のレジャーシートにも使用することができ、運搬時は軽量でありながら、使用時には防風効果を奏するだけの重りとして機能するレジャーシートの防風用ウエイトを提供することを主たる課題とするものである。
【０００６】
【課題を解決するための手段】
前記所期の課題解決のために、本発明に係る防風用ウエイトは、蓋部と、ベース部と、これら蓋部及びベース部を連結して上下方向に伸縮可能な胴部とから構成し、さらにレジャーシートへの固定手段を設けた。胴部を上下方向に伸縮可能とすることで、使用時には胴部を伸張させて内部に砂や土あるいは水を収容して重量のある重りとして機能させる一方、不使用時には胴部内に収容した砂等を取り出し収縮させて軽量かつコンパクトにできるようにしたのである。
【０００７】
上下方向に収縮可能な胴部は、防水布帛等の可撓性のある材料で筒状や截頭錐台形状に形成するほか、樹脂材料を用いて蛇腹状に形成してもよい。また、胴部を介して連結される蓋部やベース部は、樹脂材料のほか木質材料、金属材料を用いることもできる。ただし、炎天下での使用を考慮すれば、火傷防止を図るべく樹脂製材料や木質材料を用いるのが好ましい。胴部内への砂等の収容取り出しを可能とするべく、蓋部又はベース部については胴部と脱着可能に構成するか、あるいは別途砂等の収容取り出し用の開口部を設ける。
【０００８】
請求項２に記載した発明では、前記防風用ウエイトにおける胴部を収縮させた際において、蓋部とベース部とが近接状態で固定され得るよう構成した。したがって、防風用ウエイトの不使用時には、蓋部とベース部を近接状態で固定することでコンパクトな状態を維持しうるようにし、運搬や保管等の便宜を図ったのである。具体的な両部材の固定手段としては、胴部に収縮状態を維持しうる蛇腹構造を採用して蓋部とベース部とが近接した状態で実質的に保持させる方法のほか、両部材に対応するネジ部を形成して螺合する方法、両部材をベルトで巻回連結する方法、胴部の収縮によって厚さが薄くなった状態で断面コの字型の箱形ケース内に収容する方法などが例示される。
【０００９】
さらに、請求項３に記載した発明では、前記防風用ウエイトにおけるレジャーシートへの固定手段をレジャーシートに装着された鳩目に掛止されるフックとし、請求項４に記載した発明では、同固定手段をレジャーシートを挟持しうるクリップとした。これらフック又はクリップは、レジャーシートが余分な風をはらまないように、できるだけ地面に近いベース部の側縁に対して延設するのが望ましい。
【００１０】
また、請求項５に記載した発明では、複数個の防風用ウエイトを大きさの異なる１個の防風用ウエイト内に収納可能に構成した。一般的なレジャーシートは正方形ないし長方形状であるから、四隅や必要により長辺の中間等において各１個宛防風ウエイトを配置してフック又はクリップによりレジャーシートを連結固定することになる。この場合の防風用ウエイトはいずれも同じ大きさのものを用いることが想定されるが、本発明では、防風用ウエイトの１個のみを他のものより数段大きく形成し、胴部を収縮させてコンパクトにした他の防風用ウエイトを前記大きな１個の防風用ウエイト内部に収納可能にすることで、運搬収納時の便宜を図ったのである。大きさの異なる１個の防風用ウエイトについては、蓋部等を耐荷重構造とし、腰掛け椅子として用いられるよう形成してもよい。
【００１１】
【発明の実施の形態】
以下、図面に基づいて本発明を詳細に説明する。図１は本発明に係る防風用ウエイトの使用状態の一例を示す斜視図、図２は同防風用ウエイトの胴部を収縮させた状態の縦断面図、図３は同防風用ウエイトの胴部を伸張させた状態の縦断面図である。これらに図示された例の防風用ウエイトは、着脱自在な蓋部１と、蛇腹構造で伸縮可能な胴部２と、該胴部２に連続するベース部３と、該ベース部から側方に延設された掛止フック４とから構成され、掛止フック４をレジャーシートＳに穿設された鳩目Ｓ１内に掛止させて用いられる。
【００１２】
防風用ウエイトの各部材はいずれも樹脂製であり、蓋部１は胴部２の上面開口部分を閉塞するように脱着自在に構成されている。具体的には、胴部２の上面における開口２１の外周面に突設された環状の突条２２に対して、蓋部１の内周面に突設された環状の突条１１を係合させることで、両部材の固定が図られる。したがって、蓋部１を胴部２から取り外し、伸張させた胴部２内に砂や土、水等を充填した後に再び蓋部１を装着することで、重量のある重り（ウエイト）として機能させることができる。
【００１３】
本例の胴部２は蛇腹構造により伸縮可能に形成されており、ベース部３と掛止フック４を含めた一体成型品である。ベース部３は、胴部２とは別個独立に形成し、胴部２に対して嵌合固定するようにしてもよいし、さらに掛止フック４も別個独立に形成してベース部３に対して嵌着等するように構成してもよい。
【００１４】
図４は、布帛からなる胴部を用いた防風用ウエイトの他の例の一部破断側面図である。本例の防風用ウエイトは、不使用時においては蓋部１とベース部３とを螺合固定することができるように、蓋部１の内周面とベース部３の外周面において相互に対応するネジ部１２，３１が刻設されている。胴部２は略筒状の布帛からなり、上端に位置する開口２１に樹脂や金属からなる環状の掛止リング２３が固着されている。一方、蓋部１の裏面側中心寄りには、環状の連結壁１３が垂下されている。したがって、胴部２の掛止リング２３を蓋部２の連結壁１３に嵌合させることによって、蓋部１と胴部２の連結が図られる。使用時には蓋部１を胴部２から外し、胴部２を伸張させながら開口２１から胴部２の内部に砂や土等を投入した後、蓋部１を胴部２に嵌着することになる。
【００１５】
図５は、レジャーシートへの固定手段としてクリップを用いた例の斜視図である。本例のクリップ５は、洗濯ばさみのような鰐口クリップであり、紐６を介して防風用ウエイトのベース部３に連結されている。このクリップ５でレジャーシートＳの縁部を挟持させることにより、レジャーシートＳが風で捲れあがったり吹き飛ばされることを防止できる。
【００１６】
【発明の効果】
本発明に係る防風用ウエイトは、不使用時には胴部を収縮させて軽量かつコンパクトにできる一方、使用時にはレジャーシートの敷設場所にある砂や土、石、水等を胴部内に収容し、汎用されているレジャーシートの縁部に掛止又は挟持等させることで風による捲れあがり等を防止することができる。そして、レジャーシートを撤収する際には胴部内に収容していた砂等を元の場所に戻せばよい。このように、現場にある自然資材を活用して、必要なときだけ重量を確保できる機能的な防風用ウエイトである。
【００１７】
また、防風用ウエイトの１個のみを他のものより数段大きく形成し、胴部を収縮させてコンパクトにした他の防風用ウエイトを前記大きな１個の防風用ウエイト内部に収納可能にすることで、複数個の防風用ウエイトをセットで使用する場合における運搬収納時の便宜が図られる。この場合、運搬容器として用いられる大きさの異なる１個の防風用ウエイトについては、蓋部等を耐荷重構造とすれば、腰掛け椅子として用いることもできる。
【図面の簡単な説明】
【図１】本発明に係る防風用ウエイトの使用状態の一例を示す斜視図である。
【図２】同防風用ウエイトの胴部を収縮させた状態の縦断面図である。
【図３】同防風用ウエイトの胴部を伸張させた状態の縦断面図である。
【図４】布帛からなる胴部を用いた防風用ウエイトの他の例の一部破断側面図である。
【図５】レジャーシートへの固定手段としてクリップを用いた例の斜視図である。
【符号の説明】
１　　蓋部
２　　胴部
３　　ベース部
４　　掛止フック
５　　クリップ
６　　紐
Ｓ　　レジャーシート
Ｓ１　鳩目
【図１】
2004049520.tif 000003
【図２】
2004049520.tif 000004
【図３】
2004049520.tif 000005
【図４】
2004049520.tif 000006
【図５】
2004049520.tif 000007